【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
表示装置を構成する一対のワークを、エネルギーの照射により硬化する接着剤を介して貼り合せるために、前記一対のワークの少なくとも一方に対して、接着剤を塗布する接着剤塗布装置において、
ワークと相対移動して接着剤をワークに始端と終端を有する形状に塗布する塗布部と、
前記ワークと相対移動して、前記塗布部により塗布された前記接着剤に対して、エネルギーを照射することにより、前記接着剤を仮硬化させる照射部と、
を有し、
前記照射部は、塗布された前記接着剤の始端の断面縁部の角部の曲率半径が最小となる第１のタイミングと、塗布された前記接着剤の始端に崩れが発生する第２のタイミングとの間に、前記エネルギーを照射するタイミングが設定されていることを特徴とする接着剤塗布装置。
【請求項２】
前記第２のタイミングは、塗布された前記接着剤の始端に隆起が生じるタイミングであることを特徴とする請求項１記載の接着剤塗布装置。
【請求項３】
表示装置を構成する一対のワークを、エネルギーの照射により硬化する接着剤を介して貼り合せるために、前記一対のワークの少なくとも一方に対して、接着剤を塗布する接着剤塗布装置において、
ワークと相対移動して接着剤をワークに始端と終端を有する形状に塗布する塗布部と、
前記ワークと相対移動し、前記塗布部により塗布された前記接着剤に対して、エネルギーを照射することにより、前記接着剤を仮硬化させる照射部と、
を有し、
前記照射部は、塗布された前記接着剤の終端において、前記塗布部の移動による前記ワーク側の接着剤と前記塗布部側の接着剤との切り離しにより前記ワーク側の接着剤に生じた突出部分が消失する第１のタイミングと、前記突出部分が消失した後の前記接着剤の終端に崩れが発生する第２のタイミングとの間に、前記エネルギーを照射するタイミングが設定されていることを特徴とする接着剤塗布装置。
【請求項４】
前記第２のタイミングは、塗布された前記接着剤の終端に隆起が生じるタイミングであることを特徴とする請求項３記載の接着剤塗布装置。
【請求項５】
前記照射部は、第１のタイミングと第２のタイミングとの間で、前記始端または前記終端に到達するように前記ワークに対して相対移動することを特徴とする請求項１〜４のいずれか１項に記載の接着剤塗布装置。
【請求項６】
表示装置を構成する一対のワークのうち、少なくとも一方に、エネルギーの照射により硬化する接着剤を塗布する請求項１〜５のいずれか１項に記載の接着剤塗布装置を有し、
前記一対のワークを、前記塗布した接着剤によって貼り合わせる貼合装置と、
前記貼合装置において貼り合わされた前記一対のワークの前記接着剤を硬化させる硬化装置と、
前記一対のワークを、前記接着剤塗布装置、前記貼合装置及び前記硬化装置の間で搬送する搬送装置と、
を有することを特徴とする表示装置用部材の製造装置。
【請求項７】
表示装置を構成する一対のワークを、エネルギーの照射により硬化する接着剤を介して貼り合わせる表示装置用部材の製造方法において、
塗布部とワークを相対移動させて接着剤をワークに始端と終端を有する形状に塗布し、
前記接着剤に対してエネルギーを照射する照射部によって、塗布された前記接着剤の始端の断面縁部の角部の曲率半径が最小となる第１のタイミングと、前記接着剤の始端に崩れが発生する第２のタイミングとの間に、前記塗布部により塗布された接着剤に対してエネルギーを照射することにより、前記接着剤を仮硬化させ、
前記一対のワークを、前記仮硬化させた接着剤によって貼り合わせ、
前記貼り合わされた前記一対のワークの前記接着剤を硬化させることを特徴とする表示装置用部材の製造方法。
【請求項８】
表示装置を構成する一対のワークを、エネルギーの照射により硬化する接着剤を介して貼り合わせる表示装置用部材の製造方法において、
塗布部とワークを相対移動させて接着剤をワークに始端と終端を有する形状に塗布し、
前記接着剤に対してエネルギーを照射する照射部によって、塗布された前記接着剤の終端において、前記塗布部の移動による前記ワーク側の接着剤と前記塗布部側の接着剤との切り離しにより前記ワーク側の接着剤に生じた突出部分が消失する第１のタイミングと、前記突出部分が消失した後の前記接着剤の終端に崩れが発生する第２のタイミングとの間に、前記塗布部により塗布された接着剤に対してエネルギーを照射することにより、前記接着剤を仮硬化させ、
前記一対のワークを、前記仮硬化させた接着剤によって貼り合わせ、
前記貼り合わされた前記一対のワークの前記接着剤を硬化させることを特徴とする表示装置用部材の製造方法。
【手続補正２】
【補正対象書類名】明細書
【補正対象項目名】００１７
【補正方法】変更
【補正の内容】
【００１７】
上記の目的を達成するため、本発明は、表示装置を構成する一対のワークを、エネルギーの照射により硬化する接着剤を介して貼り合せるために、前記一対のワークの少なくとも一方に対して、接着剤を塗布する接着剤塗布装置において、ワークと相対移動して接着剤をワークに始端と終端を有する形状に塗布する塗布部と、前記ワークと相対移動して、前記塗布部により塗布された前記接着剤に対して、エネルギーを照射することにより、前記接着剤を仮硬化させる照射部と、を有し、前記照射部は、塗布された前記接着剤の始端の断面縁部の角部の曲率半径が最小となる第１のタイミングと、塗布された前記接着剤の始端に崩れが発生する第２のタイミングとの間に、前記エネルギーを照射するタイミングが設定されていることを特徴とする。
【手続補正３】
【補正対象書類名】明細書
【補正対象項目名】００１８
【補正方法】変更
【補正の内容】
【００１８】
上記の目的を達成するため、本発明は、表示装置を構成する一対のワークを、エネルギーの照射により硬化する接着剤を介して貼り合せるために、前記一対のワークの少なくとも一方に対して、接着剤を塗布する接着剤塗布装置において、ワークと相対移動して接着剤をワークに始端と終端を有する形状に塗布する塗布部と、前記ワークと相対移動し、前記塗布部により塗布された前記接着剤に対して、エネルギーを照射することにより、前記接着剤を仮硬化させる照射部と、を有し、前記照射部は、塗布された前記接着剤の終端において、前記塗布部の移動による前記ワーク側の接着剤と前記塗布部側の接着剤との切り離しにより前記ワーク側の接着剤に生じた突出部分が消失する第１のタイミングと、前記突出部分が消失した後の前記接着剤の終端に崩れが発生する第２のタイミングとの間に、前記エネルギーを照射するタイミングが設定されていることを特徴とする。
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】